(57)【要約】一時的なバリア用のベースは、（ｉ）バリアの一部と係合するための上方延長スピゴット又はソケットが設けられるプラスチック材料の支持部と、（ｉｉ）支持部と接続され且つ支持部から第１の遠端に延長する、プラスチック材料の細長く水平に延長して地面に接する第１の安定化部材と、（ｉｉｉ）第１の安定化部材に接続され且つ隣接する第１の遠端から支持部に向かって水平に延長する細長の第１の補剛部材と、（ｉｖ）支持部に接続され且つ第１の安定化部材とは反対方向に支持部から第２の遠端に延長する、プラスチック材料の細長く水平に延長して地面に接する第２の安定化部材と、（ｖ）第２の安定化部材に接続され且つ隣接する第２の遠端から支持部に向かって水平に延長する細長の第２の補剛部材とを備え、第１及び第２の補剛部材は分離しており、且つ第１の安定化部材の隣接する第１の遠端から第２の安定化部材の隣接する第２の遠端に延長する連続的な補剛部材を画定しない。補剛部材の使用は、細長い安定化部材に剛性を提供し、歩行者がベースの足部で躓く危険を減らすように、安定化部材の外形が低く保たれ得ることを意味する。
2018510279.tif 000002
【特許請求の範囲】
【請求項１】
（ｉ）バリアの一部と係合するための上方延長スピゴット又はソケットが設けられるプラスチック材料の支持部と、
（ｉｉ）前記支持部と接続され且つ前記支持部から第１の遠端に延長する、プラスチック材料の細長く水平に延長して地面に接する第１の安定化部材と、
（ｉｉｉ）前記第１の安定化部材に接続され且つ隣接する第１の遠端から前記支持部に向かって水平に延長する細長の第１の補剛部材と、
（ｉｖ）前記支持部に接続され且つ前記第１の安定化部材とは反対方向に前記支持部から第２の遠端に延長する、プラスチック材料の細長く水平に延長して地面に接する第２の安定化部材と、
（ｖ）前記第２の安定化部材に接続され且つ隣接する第２の遠端から前記支持部に向かって水平に延長する細長の第２の補剛部材と
を備え、
前記第１及び第２の補剛部材は分離しており、且つ前記第１の安定化部材の隣接する第１の遠端から前記第２の安定化部材の隣接する第２の遠端に延長する連続的な補剛部材を画定しない、一時的なバリア用のベース。
【請求項２】
前記安定化部材の高さは、それぞれの長さの大部分にわたって、約４０ｍｍ、好ましくは、約３５ｍｍ、又は約３０ｍｍ、又は約２５ｍｍ、又は約２０ｍｍ、又は約１５ｍｍ、又は約１２．５  ｍｍを超えない、請求項１に記載のベース。
【請求項３】
前記安定化部材の高さは、少なくとも前記安定化部材の細長い部分の長さに対して、その端部から所定の地点まで、その寸法を超えず、前記所定の地点は、その遠端から前記安定化部材の長さの少なくとも約９５％、好ましくは、約９０％、又は約８５％、又は約８０％、又は約７５％、又は約７０％、又は約６５％、又は約６０％、又は約５５％、又は約５０％である、請求項２に記載のベース。
【請求項４】
前記補剛部材は、ロッド又は管の形態である、請求項１〜３の何れか１項に記載のベース。
【請求項５】
前記補剛部材は、実質的に剛性であるように、又は前記ベースの組み立てを支援するための十分な柔軟性を有するように半剛性であるように適切な材料を有する、請求項１〜４の何れか１項に記載のベース。
【請求項６】
前記部材は、繊維強化プラスチック材料を有する、請求項１〜５の何れか１項に記載のベース。
【請求項７】
前記補剛部材又は各補剛部材は、前記支持部の短部を終端する、請求項１〜６の何れか１項に記載のベース。
【請求項８】
前記補剛部材又は各補剛部材は、前記支持部まで延長する、請求項１〜６の何れか１項に記載のベース。
【請求項９】
前記補剛部材又は各補剛部材は、前記支持部に連結される、請求項８に記載のベース。
【請求項１０】
前記補剛部材又は各補剛部材は、複数のサブ部材を備える、請求項１〜９の何れか１項に記載のベース。
【請求項１１】
前記ベースは、複数のスピゴット又はソケットを備える、請求項１〜１０の何れか１項に記載のベース。
【請求項１２】
前記上方延長部材又は各上方延長部材の自由端は、フェンス又は同類のための支持管への挿入を容易にするように面取りされ又はテーパーされている、請求項１〜１１の何れか１項に記載のベース。
【請求項１３】
前記上方延長部材又は各上方延長部材は、連続して互いに連結された、異なる外径の複数の上方延長部材部分を含む、請求項１２に記載のベース。
【請求項１４】
前記上方延長部材又は各上方延長部材は、フェンスポール又は同類の挿入を支援するために頂部が広く且つ前記ポールを固定するために底部に向かって狭まっているソケットである、請求項１〜１１の何れか１項に記載のベース。
【請求項１５】
前記上方延長部材又は各上方延長部材は、前記補剛部材の方向に延長する開口中空部材に接続される下端を有し、その中を各補剛部材が通過する、請求項１〜１４の何れか１項に記載のベース。
【請求項１６】
前記上方延長部材又は各上方延長部材は、前記ベースの前記支持部における関連開口を上方に通過する、請求項１５に記載のベース。
【請求項１７】
前記中空部材の前記下面は平坦である、請求項１５又は１６に記載のベース。
【請求項１８】
前記中空部材は、箱部の一部である、請求項１７に記載のベース。
【請求項１９】
前記上方延長部材又は各上方延長部材は金属であり、前記中空部材は金属であり、これら２つは溶接によって互いに連結される、請求項１５〜１８の何れか１項に記載のベース。
【請求項２０】
前記ベースは、その反対側において、共通の中空部材に連結される２つの金属の上方延長部材を備える、請求項１９に記載のベース。
【請求項２１】
前記安定化部材の端部には、前記補剛部材が所定の位置に有る場合に長手方向の移動に対して各補剛部材を制止する部分が設けられ、前記部分の少なくとも１つは、前記補剛部材が挿入されて、それを所定の位置に保持するために弾性的に戻るように屈曲可能である、請求項１〜２０の何れか１項に記載のベース。
【請求項２２】
安定化部材ごとに横方向に間隔を開けて配置された複数の補剛部材が有り、これらは好ましくは、互いに対して実質的に平行である、請求項１〜２１の何れか１項に記載のベース。
【請求項２３】
前記補剛部材又は各補剛部材は、各安定化部材に形成された穴又は開いた凹所の中に延長する、請求項１〜２２の何れか１項に記載のベース。
【請求項２４】
（ｉ）バリアの一部と係合するための上方延長スピゴット又はソケットが設けられるプラスチック材料の支持部と、
（ｉｉ）前記支持部に接続されるプラスチック材料の細長く水平に延長する低い外形の地面に係合する第１及び第２の安定化部材であって、前記支持部から前記安定化部材の各遠端に直径方向に反対方向に延長する安定化部材と
を備え、
各安定化部材は十分な剛性を有する材料から成り、前記安定化部材には補剛部材が設けられない、一時的なバリア用のベース。
【請求項２５】
前記安定化部材の材料は、ナイロン等の高性能プラスチック材料、繊維強化プラスチック材料、高配向ポリマー繊維によってポリマーマトリクスが強化される自己強化高度プラスチック材料、又は１つ以上のメタロセン又はメタロセン誘導体によって触媒される重合によって生成されるポリマーである、請求項１〜２４の何れか１項に記載のベース。
【請求項２６】
前記ベースの前記支持部並びに前記第１及び第２の安定化部材は、一体形成される、請求項１〜２５の何れか１項に記載のベース。
【請求項２７】
前記ベースの前記支持部には、前記ベースのスピゴット又はソケットを画定することができる一体形成された上方延長プラスチック部が設けられる、請求項１〜２６の何れか１項に記載のベース。
【請求項２８】
前記安定化部材は、部分的に上に、好ましくは、湾曲した遷移領域によって、前記支持部の前記上方延長部に接続される、請求項２７に記載のベース。
【請求項２９】
前記ベースは、１つのコンポーネントから形成される支持部、両方の安定化部材及び２つの安定化部材の間の接続部を提供し且つ前記支持部に接続される第２のコンポーネントを備える、請求項１〜２５の何れか１項に記載のベース。
【請求項３０】
前記接続部には、前記支持部の一部を受け入れる開口が設けられる、請求項２９に記載のベース。
【請求項３１】
（ｉ）バリアの一部と係合するための上方延長スピゴット又はソケットが設けられるプラスチック材料の支持部と、
（ｉｉ）前記支持部と接続され且つ前記支持部から第１の遠端に延長する、プラスチック材料の細長く水平に延長して地面に接する第１の安定化部材と、
（ｉｉｉ）前記第１の安定化部材に接続され且つ隣接する第１の遠端から前記支持部に向かって水平に延長する細長の第１の補剛部材と、
（ｉｖ）前記支持部に接続され且つ前記第１の安定化部材とは反対方向に前記支持部から第２の遠端に延長する、プラスチック材料の細長く水平に延長して地面に接する第２の安定化部材と、
（ｖ）前記第２の安定化部材に接続され且つ隣接する第２の遠端から前記支持部に向かって水平に延長する細長の第２の補剛部材と
を備え、
成形されたプラスチックのベースの第１のコンポーネントが前記支持部を画定し、前記ベースの第２のコンポーネントが両方の安定化部材及び２つの安定化部材の間の接続部を提供し、前記接続部は前記支持部に接続され、
前記第１及び第２の補剛部材は、前記第１の安定化部材の隣接する第１の遠端から前記第２の安定化部材の隣接する第２の遠端に延長する連続的な補剛部材の部分である、一時的なバリア用のベース。
【請求項３２】
（ｉ）バリアの一部と係合するための上方延長スピゴット又はソケットが設けられるプラスチック材料の支持部と、
（ｉｉ）前記支持部と接続され且つ前記支持部から第１の遠端に延長する、プラスチック材料の細長く水平に延長して地面に接する第１の安定化部材と、
（ｉｉｉ）前記第１の安定化部材に接続され且つ隣接する第１の遠端から前記支持部に向かって水平に延長する細長の第１の補剛部材と、
（ｉｖ）前記支持部に接続され且つ前記第１の安定化部材とは反対方向に前記支持部から第２の遠端に延長する、プラスチック材料の細長く水平に延長して地面に接する第２の安定化部材と、
（ｖ）前記第２の安定化部材に接続され且つ隣接する第２の遠端から前記支持部に向かって水平に延長する細長の第２の補剛部材と
を備え、
成形されたプラスチックのベースの第１のコンポーネントが前記支持部を画定し、前記ベースの第２のコンポーネントが両方の安定化部材及び２つの安定化部材の間の接続部を提供し、前記接続部は前記支持部に接続され、
前記第１及び第２の補剛部材は分離しており、且つ前記第１の安定化部材の隣接する第１の遠端から前記第２の安定化部材の隣接する第２の遠端に延長する連続的な補剛部材を画定しない、一時的なバリア用のベース。
【請求項３３】
（ｉ）バリアの一部と係合するための上方延長スピゴット又はソケットが設けられるプラスチック材料の支持部と、
（ｉｉ）前記支持部に接続されるプラスチック材料の細長く水平に延長して地面に接する第１及び第２の安定化部材であって、前記支持部から前記安定化部材の各遠端に直径方向に反対方向に延長する安定化部材と、
（ｉｉｉ）前記第１の安定化部材及び前記第２の安定化部材に接続され且つ前記第１の安定化部材の隣接する遠端から前記第２の安定化部材の隣接する遠端に水平に延長する細長い補剛部材と
を備え、
成形されたプラスチックのベースの第１のコンポーネントが前記支持部を画定し、前記ベースの第２のコンポーネントが両方の安定化部材及び２つの安定化部材の間の接続部を提供し、前記接続部は前記支持部に接続される、一時的なバリア用のベース。
【請求項３４】
前記支持部は、リサイクルＰＶＣ等の比較的安価で、比較的低品質のプラスチック材料から形成される、請求項３１〜３３の何れか１項に記載のベース。
【請求項３５】
前記第２のコンポーネントは、高品質の射出又はブロー成形されたプラスチックから形成される、請求項３４に記載のベース。
【請求項３６】
前記支持部に対するカバー又は部分的なカバーとして機能する前記接続部の上方延長部を備える、請求項３４又は３５に記載のベース。
【請求項３７】
前記支持部は、バラストウェイトを提供するように機能するバラスト部材から成り又は前記バラスト部材を含む、請求項３１〜３６の何れか１項に記載のベース。
【請求項３８】
前記バラスト部材は、前記ベースの残りの部分の材料と比較して高密度の材料を有する、請求項３７に記載のベース。
【請求項３９】
前記安定化部材は、前記補剛部材又は各補剛部材のためのカバー又は少なくとも部分的なカバーとして機能する、請求項３１〜３７の何れか１項に記載のベース。
【請求項４０】
（ｉ）バリアの一部と係合するための上方延長スピゴット又はソケットが設けられるプラスチック材料の支持部と、
（ｉｉ）前記支持部に接続されるプラスチック材料の細長く水平に延長する低い外形の地面に係合する第１及び第２の安定化部材であって、前記支持部から前記安定化部材の各遠端に直径方向に反対方向に延長する安定化部材と
を備え、
成形されたプラスチックのベースの第１のコンポーネントが前記支持部を画定し、前記ベースの第２のコンポーネントが両方の安定化部材及び２つの安定化部材の間の接続部を提供し、前記接続部は前記支持部に接続され、前記第２のコンポーネントは十分な剛性を有する材料から成り、前記安定化部材には補剛部材が設けられない、一時的なバリア用のベース。「低い外形」は、安定化部材が先に記載されたような特性及び／又は高さを有することを意味している。
【請求項４１】
前記ベースに設置される１つ以上のバリア部分を有する、請求項１〜４０の何れか１項に記載のベースを備えるバリア。
【発明の詳細な説明】
【技術分野】
【０００１】
本発明は、一時的なバリアを支持するためのベースに関する。
【背景技術】
【０００２】
場合によって、フェンス等の一時的なバリアには支持ポストが設けられることがあり、ポストを支持するベースは、支持ポストの端部を受け入れるためのソケットを有する場合が有る。代替的に、フェンス支持ポストの端部が中空であって開口を有する場合、例えば、支持ポストが管の形態で有る場合、ベースは、支持ポストの端部に差し込まれるスピゴット（ｓｐｉｇｏｔ）を有する場合がある。プラスチック材料のパネル等の他のバリアに支持ポスト又はスピゴットが設けられる場合があり、ベースはその端部を受け入れるためのソケットを有するであろう。それ以外の場合、プラスチック材料のバリアパネルには、ベースから突出するスピゴットを受け入れるためのソケットが設けられる場合がある。ベースは、コンクリート又はリサイクルされたプラスチック材料等のプラスチック材料から作られる場合が有る。これらは、支持ポストの望ましくない移動を防ぎ、フェンス用パネル等の一時的なバリアが倒され又は吹き飛ばされることに抵抗するように機能する。このようなベースの問題は、歩行者に躓く危険を与えるかもしれないことである。明るい色でベースを着色する等、多くの解決策が提案されている。
【発明の概要】
【０００３】
本発明の目的は、躓く危険が著しく小さなベースを提供することである。本発明の一態様によれば、（ｉ）バリアの一部と係合するための上方延長スピゴット又はソケットが設けられるプラスチック材料の支持部と、（ｉｉ）支持部と接続され且つ前記支持部から第１の遠端に延長する、プラスチック材料の細長く水平に延長して地面に接する第１の安定化部材と、（ｉｉｉ）第１の安定化部材に接続され且つ隣接する第１の遠端から支持部に向かって水平に延長する細長の第１の補剛部材と、（ｉｖ）支持部に接続され且つ第１の安定化部材とは反対方向に支持部から第２の遠端に延長する、プラスチック材料の細長く水平に延長して地面に接する第２の安定化部材と、（ｖ）第２の安定化部材に接続され且つ隣接する第２の遠端から支持部に向かって水平に延長する細長の第２の補剛部材とを備え、第１及び第２の補剛部材は分離しており、第１の安定化部材の隣接する第１の遠端から第２の安定化部材の隣接する第２の遠端に延長する連続的な補剛部材を画定しない、一時的なバリア用のベースが提供される。
【０００４】
補剛部材の使用は、細長い安定化部材に剛性を提供し、歩行者がベースの足部で躓く危険を減らすために、安定化部材の外形が低く保たれ得ることを意味する。従って、好ましい実施形態では、各安定化部材は、低い外形を有する。低い外形は、各長さの主要な部分にわたって安定化部材の高さが歩行者が躓く大きな危険を与えるであろう高さより低いことを意味している。本発明の一部の実施形態によれば、各長さの主要な部分にわたる安定化部材の高さは、約４０ｍｍを超えない。しかしながら、本発明の一部の好ましい実施形態では、安定化部材は、４０ｍｍよりも低い高さを有する。こうした好ましい実施形態では、少なくとも各遠端から安定化部材の長さの主要な部分にわたって、ベースが置かれている地面上の安定化部材の高さが、約３５ｍｍ、又は約、３０ｍｍ、又は約２５ｍｍ、又は約２０ｍｍ、又は約１５ｍｍ、又は約１２．５ｍｍを超えない。一部の実施形態では、各安定化部材の長さの主要部分にわたる好ましい最大高さは約２５ｍｍである。
【０００５】
好ましくは、各安定化部材の細長い部分の上面は、例えば、躓く危険を更に減らすために、丸い縁又は丸い端を有する、急な縁を回避するような外形を有する。
【０００６】
ベースが置かれている地面の安定化部材の高さが特定の寸法を超えないことが言及されているが、一部の実施形態では、これは、安定化部材の細長い部分の長さに関してその端部から有る地点までその寸法を超えないことを意味し、これはその遠端から安定化部材の長さの少なくとも約９５％であるか、又は約９０％、又は約８５％、又は約８０％であり、約７５％、又は約７０％、又は約６５％、又は約６０％、又は約５５％、又は約５０％である。例えば、ベースの分離要素ではないので安定化部材の正確な長さを定義することが不可能である場合、その遠端から安定化部材の長さについての上記の言及は、安定化部材の遠端からベースのスピゴット又はソケットの上方に延長する軸までの距離を意味する。
【０００７】
２つの安定化部材は同じ長手方向の広がりを有してもよく、又は配置は非対称であってもよい。安定化部材の長さは、ベースが意図されている用途に依存し、ベースが使用されるバリアで躓くことを防ぐように選択される。
【０００８】
補剛部材は、安定化部材を強化する役割を果たす。補剛部材は、ロッド又は管の形態であってもよく、一般には、同じ又は類似の外形を有するが、異なる外形も有し得る。長さは、各安定化部材の長さに依存してもよい。補剛部材は、実質的に剛性であるように、又はベースの組み立てを支援するための十分な柔軟性を有するように半剛性であるように適切な材料を有してもよい。各補剛部材は、異なる材料を有し得るが、好ましい材料においては同じ材料を有する。例えば、部材は鋼等の金属を有してもよい。しかしながら、好ましい実施形態では、部材は、繊維強化プラスチック材料を有する。好ましくは、部材は、引き抜き成形技術によって製造される。このような部材は、ビニール・エステル樹脂等の適切な樹脂において、例えば、ガラス又は炭素の繊維を含んでもよい。このような部材は、コンクリートの強化に使用されている。費用の理由で、引き抜き成形によって形成された樹脂マトリクスのガラス繊維を使用することが好ましい。一般に、このような補剛部材は、金属部材と比較して、増加した弾性を有する。
【０００９】
上記のように、補剛部材は、ロッドの形態であってもよい。ロッドは、管状になるように中空の中心を有してもよい。補剛部材は、中実か中空かに関わらず、円形、楕円、方形、長方形、平坦、十字型等の任意の所望の断面、又は任意の他の断面を有してもよい。
【００１０】
１つの又は各々の補剛部材は、支持部の短部を終端してもよい。
【００１１】
代替的に、１つの又は各々の補剛部材は、支持部に延長してもよい。このような配置では、１つの又は各々の補剛部材は、支持部に連結されてもよい。
【００１２】
一部の実施形態では、１つの又は各々の補剛部材は、複数のサブ部材を含む。１つの補剛部材のサブ部材が連続的な補剛部材を効果的に画定するように、これらは隣接するか又は互いに連結され、互いから十分に密接した間隔で配置されてもよい。
【００１３】
一部の実施形態では、各補剛部材は、連続的な補剛部材を効果的に画定するように、隣接するか又は互いに連結されるか、又は互いから十分に密接した間隔で配置される表面端部を有してもよい。従って、このような実施形態では、本発明は、分離した第１及び第２の補剛部材が有る一方で、補剛部材が第１の安定化部材の隣接する第１の遠端から第２の安定化部材の隣接する第２の遠端に延長する連続的な補剛部材を画定するように変形されてもよい。
【００１４】
バリアとベースの係合は、例えば、バリアパネルのスピゴットを受け入れるベースのソケット又はバリアパネルのソケットと係合するベースのスピゴットを直接的に用いてもよく、又はバリアとの係合は、バリア若しくはフェンス用の支持ポールの端部を受け入れるベースのソケット、又はバリア若しくはフェンスの中空支持ポール内で係合するベースのスピゴットを経由してもよい。ベース上には１つ又は複数のスピゴット又はソケットが有ってもよい。これは、特に、２つのスピゴット又は穴が設けられる場合に２つのフェンス用パネルの間に結合を提供するので、ベースがフェンスのポールと係合する場合に適用可能である。
【００１５】
その又は各々のスピゴット又はソケットは、プラスチック材料、金属、又は材料の組合せによって形成されてもよい。
【００１６】
本発明の一部の実施形態は、中空のフェンス用支持ポールに係合するベースにスピゴットを提供する上方に延長する部材の使用に関与する。しかしながら、一部の実施形態は、例えば、フェンスポールを受け入れるためのソケットとして機能するように中空になっている上方延長部材を使用する。好ましくは、２つの間隔を開けて配置された上方延長部材が有り、それ以外も所望の場合には設けられ得る。
【００１７】
その又は各々の上方延長部材は、鋼等の金属から作られてもよい。その又は各々の上方延長部材は、管の形態であってもよい。その又は各々の上方延長部材の自由端は、フェンス又は同類のための支持管への挿入を容易にするように面取りされていてもよい。代替的に、それはテーパーされてもよく、これは連続して互いに連結される異なる外径の複数の上方延長部材部分を使用することによって提供され得る。同様に、ソケットが提供される場合、これはフェンスポール又は同類の挿入を支援するために最初に広くなっていてもよく、ポールの確実な設置を提供するためにそれから狭くなっている。再び、これは連続して互いに連結される異なる外径の複数の上方延長部材部分を使用することによって達成され得る。好ましい配置では、その又は各々の上方延長部材は、補剛部材の方向に延長する開口中空部材に接続される下端を有し、その中を各補剛部材が通過する。次に、その又は各々の上方延長部材は、ベースの支持部における関連開口を上方に通過する。複数の上方延長部材が有る場合、各上方延長部材用の各開口が有ってもよく、又は複数の上方延長部材用の共通の開口が有ってもよい。
【００１８】
一部の実施形態では、中空部材の下面は平坦である。例えば、中空部材は、箱部の一部であってもよい。中空部材の断面は、矩形、例えば、正方形であってもよい。しかしながら、中空部材の断面は、円形、楕円形又は多角形等の任意の他の断面を有してもよい。中空部材は、鋼等の金属を有してもよい。スピゴット又はソケットを画定する上方延長部材が金属であり、且つ中空部材も金属である場合、２つは溶接によって互いに連結されてもよい。一実施形態では、金属のコンポーネントを形成するために、その反対側において、共通の中空部材に連結される２つの金属の上方延長部材が有る。その代わりの同等のコンポーネントは、プラスチック等の他の材料の成形又は加工コンポーネントであり得る。このような配置において組立は簡単であり、その又は各々の上方延長部材が支持部材の開口に押し通され、且つ各補剛部材が中空部材の中の所定の位置に押し込まれる。中空部材が金属から成り且つ複数の補剛部材が金属から成る場合、それらは中空部材に溶接され得る。
【００１９】
安定化部材の端部には、補剛部材が所定の位置に有る場合に長手方向の移動に対して各補剛部材を制止する部分が設けられ、こうした部分の少なくとも１つは、補剛部材が挿入されて、それを所定の位置に保持するために弾性的に戻るように屈曲することができる。
【００２０】
安定化部材は、ベース用の足部を画定し、黄又はオレンジ等の適切な高視認性の色を有し得る。一部の実施形態では、安定化部材ごとに横方向に間隔を開けて配置された複数の補剛部材が有ってもよく、これらは好ましくは、互いに対して実質的に平行である。上記の一部の実施形態では、各補剛部材は、第１の安定化部材の隣接する遠端から第２の安定化部材の隣接する遠端に延び得る。上記の他の実施形態では、各安定化部材は、分離した補剛部材を有し得る。
【００２１】
補剛部材は、各安定化部材に形成された穴又は開いた凹所の中に延び得る。
【００２２】
突出する足部が低い外形であり、好ましくは、丸い縁を有し、好ましくは、明るい色が着けられているので、本発明の一部の実施形態によるベースは、歩行者が躓く危険性を減らすことができる。本発明の別の態様によれば、先に説明された態様の全てに従って記載されたものであるが、１つ又は複数の補剛部材を除外するように修正されたベースが設けられる。このような配置では、（ｉ）バリアの一部と係合するための上方延長スピゴット又はソケットが設けられるプラスチック材料の支持部と、（ｉｉ）支持部に接続されるプラスチック材料の細長く水平に延長する低い外形の地面に接する第１及び第２の安定化部材であって、支持部から安定化部材の各遠端に直径方向に反対方向に延長する安定化部材とを備え、各安定化部材は十分な剛性を有する材料から成り、安定化部材には補剛部材が設けられない、一時的なバリア用のベースが提供されてもよい。「低い外形」は、安定化部材が先に記載された特性及び／又は高さを有することを意味している。１つ又は複数の補剛部材の存在を例外として、このベースの全ての特徴は、本発明の他の態様との関連で先に記載されたものであってもよい。
【００２３】
安定化部材の材料は、ナイロン又は別の適切な工学等級ポリマー等の高性能プラスチック材料；繊維強化プラスチック材料；通常は同じポリマーから派生する高配向ポリマー繊維によってポリマーマトリクスが強化される自己強化高度プラスチック材料；又は、１つ以上のメタロセン又はメタロセン誘導体によって触媒される重合によって生成されるポリエチレン等のポリマーである。メタロセンは、２つの負電荷を持つシクロペンタジエニルアニオンの間に挟まれた正電荷を持つ金属イオンを含む。これは、例えば、ポリエチレンから成り得る補剛部材を必要とする安定化部材とは対照的である。しかしながら、このような材料は補剛部材を必要とする安定化部材に使用され得ることが理解されるであろう。
【００２４】
別の配置では、その又は各々の上方延長部材は、上記の中空部材等の補剛部材の方向に延長する追加部材に接続される下端を有する。しかしながら、この代替的な配置では、追加部材は、それがそれ自身に剛性効果をもたらし且つ追加の補剛部材が必要では無くなるように十分な距離で安定化部材に沿って延長される。スピゴット又はソケットを画定する上方延長部材が金属であり、且つ追加部材も金属である場合、２つは溶接によって互いに連結されてもよい。一実施形態では、金属のコンポーネントを形成するために、その反対側において、共通の追加部材に連結される２つの金属の上方延長部材が有る。追加部材は、中空であってもよく、又は中実であり得る。
【００２５】
別の態様によれば、本発明の任意の態様に従って先に記載されたベースが、１つ以上のバリア部分と組み合わせて提供される。例えば、ベースは、フェンス用パネルのポールと組み合わされてもよく、又は２つのフェンス用パネルの２つのポールと組み合わされてもよい。
【００２６】
代替的に、ベースは、一体的に設けられるソケット又はスピゴットとバリアのパネルとの組合せであってもよい。
【００２７】
一部の実施形態では、ベースの支持部及び第１及び第２の安定化部材は一体形成され、例えば、射出成形又はブロー成形によって形成されるプラスチックの単一成形である。特に、フェンス用の支持ポールではなくプラスチックのバリアパネルが使用される一部の実施形態では、ベースの支持部は、ベースのスピゴット又はソケットを画定し得る一体形成された上方延長プラスチック部が設けられ、又は別に成形された部材、例えば、射出成形された部材であり得る分離したソケット又はスピゴット部材が設けられ得る。安定化部材は、部分的に上に、例えば、湾曲した遷移領域によって、支持部の上方延長部分に接続されてもよい。
【００２８】
本発明の一実施形態では、１つのコンポーネント、並びに両方の安定化部材及び２つの安定化部材の間の接続部を提供し且つ前記支持部に接続される第２のコンポーネントから形成されるベースの支持部が有る。例えば、接続部には、支持部の一部を受け入れる開口が設けられ得る。これは、分離した補剛部材を有する実施形態に、及び単一の連続した補剛部材を有する本発明の実施形態に適用可能である。
【００２９】
従って、更なる態様から見ると、本発明は、（ｉ）バリアの一部と係合するための上方延長スピゴット又はソケットが設けられるプラスチック材料の支持部と、（ｉｉ）支持部と接続され且つ支持部から第１の遠端に延長する、プラスチック材料の細長く水平に延長して地面に接する第１の安定化部材と、（ｉｉｉ）第１の安定化部材に接続され且つ隣接する第１の遠端から支持部に向かって水平に延長する細長の第１の補剛部材と、（ｉｖ）支持部に接続され且つ第１の安定化部材とは反対方向に支持部から第２の遠端に延長する、プラスチック材料の細長く水平に延長して地面に接する第２の安定化部材と、（ｖ）第２の安定化部材に接続され且つ隣接する第２の遠端から支持部に向かって水平に延長する細長の第２の補剛部材とを備え、成形されたプラスチックのベースの第１のコンポーネントが支持部を画定し、ベースの第２のコンポーネントが両方の安定化部材及び２つの安定化部材の間の接続部を提供し、接続部は支持部に接続されており、第１及び第２の補剛部材は、第１の安定化部材の隣接する第１の遠端から第２の安定化部材の隣接する第２の遠端に延長する連続的な補剛部材の部分である、一時的なバリア用のベースを提供する。
【００３０】
別の更なる態様から見ると、本発明は、（ｉ）バリアの一部と係合するための上方延長スピゴット又はソケットが設けられるプラスチック材料の支持部と、（ｉｉ）支持部と接続され且つ支持部から第１の遠端に延長する、プラスチック材料の細長く水平に延長して地面に接する第１の安定化部材と、（ｉｉｉ）第１の安定化部材に接続され且つ隣接する第１の遠端から支持部に向かって水平に延長する細長の第１の補剛部材と、（ｉｖ）支持部に接続され且つ第１の安定化部材とは反対方向に支持部から第２の遠端に延長する、プラスチック材料の細長く水平に延長して地面に接する第２の安定化部材と、（ｖ）第２の安定化部材に接続され且つ隣接する第２の遠端から支持部に向かって水平に延長する細長の第２の補剛部材とを備え、成形されたプラスチックのベースの第１のコンポーネントが支持部を画定し、ベースの第２のコンポーネントが両方の安定化部材及び２つの安定化部材の間の接続部を提供し、接続部は支持部に接続されており、第１及び第２の補剛部材は分離しており、第１の安定化部材の隣接する第１の遠端から第２の安定化部材の隣接する第２の遠端に延長する連続的な補剛部材を画定しない、一時的なバリア用のベースを提供する。
【００３１】
別の更なる態様から見ると、本発明は、（ｉ）バリアの一部と係合するための上方延長スピゴット又はソケットが設けられるプラスチック材料の支持部と、（ｉｉ）支持部に接続されるプラスチック材料の細長く水平に延長して地面に接する第１及び第２の安定化部材であって、支持部から安定化部材の各遠端に直径方向に反対方向に延長する安定化部材と、（ｉｉｉ）第１の安定化部材及び第２の安定化部材に接続され且つ第１の安定化部材の隣接する遠端から第２の安定化部材の隣接する遠端に水平に延長する細長い補剛部材とを備え、成形されたプラスチックのベースの第１のコンポーネントが支持部を画定し、ベースの第２のコンポーネントが両方の安定化部材及び２つの安定化部材の間の接続部を提供し、接続部は支持部に接続される、一時的なバリア用のベースを提供する。
【００３２】
本発明の先の３つの態様では、支持部は、リサイクルＰＶＣ等の比較的安価で、比較的低品質のプラスチック材料から成ってもよい。第２のコンポーネントは、典型的には、より高品質な射出成形又はブロー成形されたプラスチックからなる。典型的には、リサイクルプラスチックは、灰色又は黒色を有するが、一部の実施形態では、これは支持部に対するカバー又は部分カバーとして機能する接続部の上方延長部分によって隠され得る。また、上記の全ての好ましい及び選択的な特徴が、本発明のこうした態様に適用されてもよい。
【００３３】
本発明の一部の実施形態では、支持部は、バラストウェイトを提供する役割を果たすバラスト部材から成り又はそれを含む。このようなバラスト部材は、ベースの残りの部分の材料と比較して相対的に高密度の材料を有してもよく、例えば、リサイクルＰＶＣ等の比較的安価であり、比較的低品質のプラスチック材料である。典型的には、リサイクルプラスチックは、灰色又は黒色を有するが、一部の実施形態では、上記のように、これは支持部の上方延長部又は接続部の上方延長部によって少なくとも部分的に隠され得る。バラストウェイトの存在は、一時的なバリア用の支持ポストがフェンス用パネルのポールである場合に特に有益である。
【００３４】
バラストウェイトは、安定化部材及び支持部等のベースの他のコンポーネントと比較して比較的低品質のプラスチックを有する。
【００３５】
こうした他のコンポーネントは、典型的には、より高品質な射出成形又はブロー成形されたプラスチックからなる。
【００３６】
一部の実施形態では、安定化部材は、その又は各々の補剛部材のためのカバー又は少なくとも部分的なカバーとして機能する。
【００３７】
一部の実施形態では、バラストウェイトを有するベースは、成形されたプラスチックパネル等のバリアパネルと共に使用される。しかしながら、このようなパネルの場合、パネル自体が質量の集中が下げられるように構築されてもよく、これは分離したバラストウェイトが不要になるように組み込みバラストとして機能する。このようなバリアの場合、これは他のバリアと連結するための手段が設けられてもよく、それはバリアパネルと係合する単一のパネル又は単一のスピゴット用の支持ポストを受け入れる単一の穴を有するのに十分であってもよい。１つ又は複数の補剛部材を除外する本発明の別の態様によれば、（ｉ）バリアの一部と係合するための上方延長スピゴット又はソケットが設けられるプラスチック材料の支持部と、（ｉｉ）支持部に接続されるプラスチック材料の細長く水平に延長する低い外形の地面に接する第１及び第２の安定化部材であって、支持部から安定化部材の各遠端に直径方向に反対方向に延長する安定化部材とを備え、成形されたプラスチックのベースの第１のコンポーネントが支持部を画定し、ベースの第２のコンポーネントが両方の安定化部材及び２つの安定化部材の間の接続部を提供し、接続部は支持部に接続されており、第２のコンポーネントは十分な剛性を有する材料を有し、安定化部材には補剛部材が設けられない、一時的なバリア用のベースが設けられてもよい。「低い外形」は、安定化部材が先に記載されたような特性及び／又は高さを有することを意味している。
【００３８】
また、第２のコンポーネントに関連する上記の材料は、支持部に使用されてもよい。一部の実施形態では、１つのプラスチック材料の支持部が有ってもよく、安定化部材は、上記のように、ナイロン又は別の適切な工学等級ポリマー等の高性能プラスチック材料；繊維強化プラスチック材料；通常は同じポリマーから派生する高配向ポリマー繊維によってポリマーマトリクスが強化される自己強化高度プラスチック材料；又は、１つ以上のメタロセン又はメタロセン誘導体によって触媒される重合によって生成されるポリエチレン等のポリマー等の異なる材料を有してもよい。
【００３９】
本発明の様々な態様の一部の実施形態は、次に添付の図面を参照して説明される。
【図面の簡単な説明】
【００４０】
【図１】本発明によるベースの第１の実施形態の斜視図である。
【図２】底面図である。
【図３】側面図である。
【図４】底部斜視図である。
【図５】端面図である。
【図６】２つのスピゴット及び中空の箱部を備える金属コンポーネントの端面図である。
【図７】図１における印Ａが付けられた部分の拡大図である。
【図８】図８ａ〜ｃは代替的なスピゴットを示す。
【図９】オフセット式に積み重ねられた複数のベースを示す斜視図である。
【図１０】使用中のベースを示す。
【図１１】修正されたベースの斜視図である。
【図１２】修正されたベースの端面図である。
【図１３】フェンスポールを受け入れるためのベースの別の実施形態の概略的斜視図である。
【図１４】図１３のベースの下部の概略的斜視図である。
【図１５】図１３及び１４のベースの中の断面である。
【図１６】補剛部材がどのように中空の部分に設けられるかを示す。
【図１７】追加の補剛部材を必要としない代替的な配置を示す。
【図１８】ベースがどのように異なって構成され得るかを示す。
【図１９】本発明の一態様によるバリアのスピゴットを受け入れるためのベースの斜視図である。
【図２０】図１９のベースの上部平面図である。
【図２１】ベースの下部平面図である。
【図２２】ベースの側面図である。
【図２３】図２２の線Ａ−Ａにおける断面である。
【図２４】バリアのスピゴットを受け入れるための修正されたベースの斜視図である。
【図２５】図２３に対応するが、修正された剛性配置を示す図である。
【図２６】本発明の一態様によるベースの別の実施形態の斜視図である。
【図２７】本発明の一態様によるベースの別の実施形態の斜視図である。
【図２８】本発明の一態様によるベースの別の実施形態の斜視図である。
【図２９】本発明の一態様によるベースの別の実施形態の斜視図である。
【図３０】本発明の一態様によるベースの別の実施形態の斜視図である。
【図３１】本発明の一態様によるベースの別の実施形態の斜視図である。
【図３２】本発明の一態様によるベースの別の実施形態の斜視図である。
【図３３】図３２のベースの１つのコンポーネントの斜視図である。
【図３４】図３２のベースの別のコンポーネントの斜視図である。
【図３５】図３２のベースの剛性ロッドの斜視図である。
【発明を実施するための形態】
【００４１】
次に図面を詳細に参照すると、図１から７において、フェンスポールを受け入れるためのベース１が示されている。このベースは、一体形成された中央支持部材３、第１の安定化部材４及び第２の安定化部材５を画定するプラスチックの成形部２を含む。ベース１は、第１の剛性ロッド６、第２の剛性ロッド６Ａ、及び支持部材３から上に突出する一対の金属スピゴット７ａ及び７ｂを更に備える。金属スピゴットは、例えば、中空箱部８に溶接することによって接続され、支持部材における開口９を通って上方に突出する。剛性ロッド６及び６Ａは、各安定化部材４及び５に接続され、中空箱部８の中を通ると共にこれに連結される。剛性ロッドは、隣接する安定化部材４の自由端から隣接する安定化部材５の自由端まで連続的に通過する。図６の自由端は、箱部８に溶接されるスピゴット７ａ、７ｂを備える使用金属加工物を示す。図１６は、ロッド６及び６Ａがどのように箱部８の中を通過するかを示す。
【００４２】
ロッド６、６Ａは、引き抜き成形によって製造される繊維強化樹脂から成る。開口１０は、持ち上げ及び操作を容易にするために設けられる。一連の一対の開口１１が、以下に記載されるように、積み重ねを支援するために安定化部材４、５に沿って設けられる。各対において、開口１１の間の間隔は、スピゴット７ａ及び７ｂの間の間隔に一致する。開口の対は、安定化部材４、５に沿って一定間隔で配置される。
【００４３】
図７は、安定化部材５の遠端に有る部分１２が剛性ロッド６Ａの長手方向の移動をどのように制限するかを示す。安定化部材の遠端は、剛性ロッド６Ａの挿入を可能にするように屈曲し、それから剛性ロッド６Ａを所定位置に保持するために元に戻る。剛性ロッド６が所定位置に固定されるように、同様の構造が安定化部材４の遠端に提供される。
【００４４】
スピゴットの上端は、管状フェンスポストへの挿入を容易にするために、図８ａにおいて１３で示されているように面取りされてもよい。代替的に、スピゴットには、図８ｂに示されるようにテーパー化端部１４が設けられてもよい。図８ｃは、直径が減少したスピゴット部１５及び１６によってどのようテーパーが代替的スピゴットに設けられ得るかを示す。
【００４５】
図９は、上記のベースの開口１１の一定間隔を開けて配置された対の中に突出する各ベースのスピゴット７の対と互いに積み重ねられる一連のベース１を示す。従って、ベースは、保管又は搬送のために空間を節約できるように積み重ねられる。
【００４６】
図１０は、ベース１のスピゴット７ａの１つにおいて受け入れられる支持ポール１８を有するフェンスパネル１７を図示する。第２の支持ポール１９は、スピゴット７ｂの他方に受け入れられ、第２のフェンスパネル２０を運ぶ。
【００４７】
図１１及び１２に示された実施形態において、スピゴットの代わりに、ベース２１は、フェンス等のバリア用の支持ポールを受け入れる上方延長ソケット部２２ａ及び２２ｂを有する。その他の点において、構造は先の実施形態のそれに対応する。
【００４８】
一体型プラスチック成形の代わりに、ベースの部分２は、例えば、安定化部材４を画定する１つの成形品とジョイントによって接続され且つ安定化部材５を画定する１つの成形品とのジョイントによって接続される支持部材を画定する中央成形品等、互いに連結される複数の別個の成形品から作られてもよい。
【００４９】
例えば、必要であれば、安定化部材用の既成のウェイト又は砂袋の形態の追加バラストが更なる安定性を提供するために使用され得る。
【００５０】
図３を参照すると、成形されたプラスチック部２の部分と係合し、構造の安定性を確保するのを支援するために、箱部８の端部に横方向延長金属タブ２３及び２４が設けられ得る。
【００５１】
プラスチック部２は、全長その全長にわたって、先の実施形態において低い外形を有する。それは、躓く危険性を更に減らすためにその側部に沿って及び両端において丸い縁を有する。また、プラスチック部は、歩行者に対してベースの注意を喚起するために明るく着色されてもよい。
【００５２】
図１３から１５は、単に概略的な形態で、図１から１２の実施形態の修正を示す。上方に突出する金属のスピゴット又はソケット４３及び４４を有する成形されたプラスチックコンポーネント４２が有る。この実施形態において、４つの剛性ロッド、即ち、片側における４５及び４５Ａと他の側における４６及び４６Ａとが有る。同様に、これらは、好ましくは、引き抜き成形によって作られた繊維強化樹脂から成る。ロッド４５及び４５Ａは、金属箱部４７の中を通ってそれに接続され、ロッド４６及び４６Ａは金属箱部４８の中を通ってそれによって連結される。箱部は、金属横材４９によって相互接続され、例えば、溶接によってソケット又はスピゴット４３及び４４がこれに接続され、これらはコンポーネント４２における開口を上方に通過する。このような配置の実際の実施形態において、ベースの他の特徴は、１つの中央剛性ロッドではなく２つの剛性ロッド６が有るという事実を説明するために適切に修正された図１から１２の実施形態のものに対応するであろう。図１６は、図１から１２の実施形態において、ロッド６及び６Ａがどのように箱部８の中を通過するかを図示する。
【００５３】
図１７は、図１から１２の配置の修正において、ロッド６Ａ及び６Ｂは省略され、箱部が補強材５０を形成するために延長され得る。箱部は、別の断面の部材によって置換されてもよく、中空又は中実であってもよい。
【００５４】
図１８は、図１から１２の実施形態において、非対称ベースを形成するように別の位置でスピゴット７を受け入れるために、開口１１がどのように異なる目的で使用され得るかを示す。
【００５５】
例示の実施形態において、自由端から支持部材を連結する場所までの安定化部材の主要な部分は低い外形である。安定化部材のこうした部分は、躓く危険性を更に減らすために、側部に沿って及び自由端において丸い縁を有する。また、ベース又は少なくとも安定化部材は、歩行者に対してベースの注意を喚起するために明るく着色され得る。
【００５６】
本発明の様々な態様の実施形態では、様々な特徴が有り得る。成形されたコンポーネントは、合成物を含む異なる材料から作られてもよい。ベースは、一体の又は２つの成形されたコンポーネントであってもよく、第２のコンポーネントは追加の重量を与える。ベースは、対称又は非対称であり、異なる長さの安定足部を有し得る。ベースは、引き抜き成形によって作られた要素等の強化棒又は棒鋼又は他の手段で強化されてもよく又はされなくてもよい。強化棒は、ベースの全長に延びてもよく、又は中央を通らずに各端に２つの部材が有ってもよい。強化棒は、中央に設けられた単一のコンポーネント又は中央から横方向にオフセットした２つの部材であり得る。顧客銘板を提供するために嵌め込まれる又は更なる視認性のために明るく着色され／反射性である少なくとも１つの分離要素が有ってもよい。こうした特徴は、互いに様々な組み合わせで及び上記のベースの他の特徴と共に使用され得る。
【００５７】
図１９は、例えば、プラスチックバリアのスピゴット部分を受け入れるためのベース２５の形態で、本発明の一態様の実施形態を示す。ベースは上方延長支持部２６を画定する一体成形プラスチックコンポーネントを備え、そこから安定化部材２７及び安定化部材２８が直径方向に反対の方向に突出している。安定化部材２７と支持部材２６、並びに安定化部材２８と支持部材２６との間にそれぞれ湾曲した遷移部分２９及び３０が有る。支持部材２６には、支持部材を垂直に下方に通過する穴の形態のソケット３１が設けられ、開口は上端に有る。ソケットは、バリアのスピゴットを受け入れることができる（図示せず）。ソケットは、支持部材２６の一体部分であってもよく、又は例えば、共同成形、接着又は任意の他の適切な技術によって、支持部材に接続される分離したプラスチックコンポーネントであってもよい。
【００５８】
この実施形態では、支持部材２６の内部には、高密度リサイクルＰＶＣ等のプラスチック材料のブロック３２の形態でバラストウェイトが提供される。一部の実施形態では、ソケットを形成する穴３１の一部がバラストウェイトを通過し得る。バラストウェイトは一部の実施形態では省略されてもよい。
【００５９】
剛性ロッド３３Ａは、安定化部材２８を通過してそれに接続される。ロッドは、支持部材２６の下部及びバラストウェイト３２の底面に形成された溝３４Ａの中を通る。第２の剛性ロッド３３Ｂは、安定化部材２７を通過してそれに接続される。ロッドは、支持部材２６の下部及びバラストウェイト３２の底面に形成された溝３４Ｂの中を通る。各ロッド３３は、引き抜き成形によって製造される繊維強化樹脂から成る。安定化部材２７及び２７の端部には、各ロッドがその位置から外れることを防ぐ下方突出部３５及び３６が設けられる。安定化部材の端部は、各ロッドの挿入を可能にするために端部が上方に曲げられて、それを保持するために所定位置に屈曲して戻ることができるように弾性である。
【００６０】
ソケット３１の少なくとも一部には、ソケットに挿入されるスピゴットの表面に係合するために、一連の周囲に間隔を開けて配置された、半径方向に内側に延長する突起部３７が提供される。
【００６１】
図２４は、図１９から２３のそれと同様のベースを示しており、支持部材３８、安定化部材３９及び４０、支持部材内のソケット４１、並びに各安定化部材に対して１つの一対の安定化ロッド（図示せず）を有する。この実施形態では、分離したバラストウェイトを含まないので、支持部材は、前の実施形態におけるよりも頑丈ではない。ベースは、それ自身のバラストウェイトを提供するバリアと共に使用される。
【００６２】
図２５は、図１９から２３の実施形態の修正を示す。各安定化部材２８、２７に単一の中央に配置された剛性ロッド３３Ａ及び３３Ｂが設けられる代わりに、各剛性ロッドには、横方向に間隔を開けて配置された一対の剛性ロッドが設けられる。安定化部材２７のためのこうした剛性ロッド１４２、１４３のみがこの図面には示され得る。各ロッドは、その各安定化部材を通過してそれに接続される。各ロッドは、支持部材の下部を通り、バラストウェイトの底面に形成された各溝の中に保持される。
【００６３】
図２６は、本発明の一態様による別のベースを示している。この実施形態では、支持部材１４５並びに２つの安定化部材１４６及び１４７を提供するＰＶＣの単一成形品１４４が有る。引き抜き成形によって形成される合成物の単一剛性ロッド１４８が有る。成形品１４４は、黄等の高視認性の色で塗られていてもよい。支持部材１４５は、円形部材を受け入れるための円形断面のソケットを有する。
【００６４】
図２７は、本発明の一態様による別のベース１４９を示している。これは、支持部材１５０を形成し且つ最下部から離れて視認されるＰＶＣ成形品を有する。分離したコンポーネント５１が２つの安定化部材５２及び５３を提供し、ナイロン等の高強度／剛性加工ポリマーから成り、又は複合材料から成る。この実施形態は、安定化部材に十分な剛性を提供するために別の補剛部材を必要としない。コンポーネント５１には、開口５４が設けられ、支持部材１５０はこの中を通過して、コンポーネント５１と連結される。
【００６５】
図２８は、本発明の一態様による別のベース５５を示している。
【００６６】
これは、支持部材５６を形成し且つ最下部から離れて視認されるＰＶＣ成形品を有する。分離したコンポーネント５７は、２つの安定化部材５８及び５９を提供し、支持部材５６を受け入れるための開口６０が設けられている。
【００６７】
ここまでの構造は図２７の実施形態のそれと同様である。
【００６８】
しかしながら、コンポーネント５７は、ポリエチレン等のあまり剛性ではないポリマーから成り、引き抜き成形によって形成される合成物の単一の剛性ロッド６１が設けられている。この実施形態では、２つの安定化部材は異なる長さを有しており、ベースが支持するバリア又は同類のその側部における障害を最小化するように、安定化部材５８は安定化部材５９よりも短くなっている。
【００６９】
図２９は、本発明の一態様による別のベース６２を示している。この実施形態では、支持部材６３並びに２つの安定化部材６４及び６５の両方を提供するＰＶＣの単一成形品が有る。それぞれ安定化部材６４及び６５に対して、２つの分離した剛性ロッド６６及び６７が有り、各々が引き抜き成形によって形成された合成物から成る。成形品６２は、黄等の高視認性の色で塗られていてもよい。支持部材６３は、略正方形のポスト（図示せず）を受け入れるために、略正方形の断面の開口７０を有する。
【００７０】
部分６８及び６９は、例えば、顧客銘板又は視認性を向上させるために明るく着色された／反射性の要素を提供するための嵌め込み（ｓｎａｐ  ｉｎ）要素を受け入れてもよい。
【００７１】
図３０は、本発明の一態様による別のベースを示している。この実施形態では、支持部材７２並びに２つの安定化部材７３及び７４の両方を提供する単一成形品７１が有る。成形品７１は、ナイロン等の高強度／剛性加工ポリマーから成り、又は複合材料から成る。この実施形態は、安定化部材に十分な剛性を提供するために別の硬化部材を必要としない。その他の点において、ベースは図２９の実施形態と同様である。図３１は、本発明の一態様による別のベースを示している。この実施形態では、支持部材７６並びに２つの安定化部材７７及び７８の両方を提供する単一成形品７５が有る。成形品７５は、ポリエチレン等の比較的剛性の低いポリマーから成る。この実施形態では、ベースは、２つの横方向に間隔を開けて配置された平行な補剛部材７９及び８０によって強化されており、各々は引き抜き成形によって形成された合成物から成る。この実施形態では、２つの安定化部材は異なる長さを有しており、ベースが支持するバリア又は同類のその側部における障害を最小化するように、安定化部材７７は安定化部材７８よりも短くなっている。
【００７２】
図３２は、本発明の態様に従う別のベース８１を示しており、一部の点において、これは図２７及び２８のベースと同様である。コンポーネント８２は、２つの安定化部材８３及び８４を提供する。この実施形態では、図２８の実施形態とは対照的に、安定化部材は同じ長さを有するが、これらは異なる長さであってもよい。コンポーネント８２の中央部８５には、開口８６が設けられる。分離したコンポーネントであってＰＶＣ成形品である支持部材８７は、開口８６を通過して、コンポーネント８２と連結される。支持部材には、ソケット８８が設けられる。
【００７３】
コンポーネント８２は、ポリエチレン等のあまり剛性でないポリマーから成り、引き抜き成形によって形成される合成物の単一の剛性ロッド８９が設けられている。コンポーネント８２には、ロッド８９を受け入れるためのチャネル９０が設けられている。
【００７４】
図３３から３５でより明確に示されるように、支持部材８７は、コンポーネント８２と連結するための下部９１を有する。この下部には、ロッド８９を受け入れるための下向きに開いたチャネル９２が設けられている。
【００７５】
例示の実施形態において自由端から支持部材を連結する場所までの安定化部材の主要部分は低い外形である。安定化部材のこうした部分は、躓く危険性を更に減らすために、側部に沿って及び自由端において丸い縁を有する。また、ベース又は少なくとも安定化部材は、歩行者に対してベースの注意を喚起するために明るく着色され得る。
【００７６】
本発明の様々な態様の実施形態では、様々な特徴が有り得る。成形された要素は、合成物を含む異なる材料から作られてもよい。ベースは、一体的な又は２つの成形されたコンポーネントであってもよく、第２のコンポーネントは追加の重量を与える。ベースは、対称又は非対称であり、異なる長さの安定化足部を有し得る。ベースは、引き抜き成形によって作られた要素等の強化棒又は棒鋼又は他の手段で強化されてもよく又はされなくてもよい。強化棒は、ベースの全長に延びてもよく、又は中央を通らずに各端に２つの部材が有ってもよい。強化棒は、中央に設けられた単一のコンポーネント又は中央から横方向にオフセットした２つの部材であり得る。それは顧客銘板を提供するために嵌め込まれる又は更なる視認性のために明るく着色され／反射性である少なくとも１つの分離要素であってもよい。こうした特徴は、互いに様々な組み合わせで及び上記のベースの他の特徴と共に使用され得る。
【図１】
2018510279.tif 000003
【図２】
2018510279.tif 000004
【図３】
2018510279.tif 000005
【図４】
2018510279.tif 000006
【図５】
2018510279.tif 000007
【図６】
2018510279.tif 000008
【図７】
2018510279.tif 000009
【図８（ａ）】
2018510279.tif 000010
【図８（ｂ）】
2018510279.tif 000011
【図８（ｃ）】
2018510279.tif 000012
【図９】
2018510279.tif 000013
【図１０】
2018510279.tif 000014
【図１１】
2018510279.tif 000015
【図１２】
2018510279.tif 000016
【図１３】
2018510279.tif 000017
【図１４】
2018510279.tif 000018
【図１５】
2018510279.tif 000019
【図１６】
2018510279.tif 000020
【図１７】
2018510279.tif 000021
【図１８】
2018510279.tif 000022
【図１９】
2018510279.tif 000023
【図２０】
2018510279.tif 000024
【図２１】
2018510279.tif 000025
【図２２】
2018510279.tif 000026
【図２３】
2018510279.tif 000027
【図２４】
2018510279.tif 000028
【図２５】
2018510279.tif 000029
【図２６】
2018510279.tif 000030
【図２７】
2018510279.tif 000031
【図２８】
2018510279.tif 000032
【図２９】
2018510279.tif 000033
【図３０】
2018510279.tif 000034
【図３１】
2018510279.tif 000035
【図３２】
2018510279.tif 000036
【図３３】
2018510279.tif 000037
【図３４】
2018510279.tif 000038
【図３５】
2018510279.tif 000039
【国際調査報告】
2018510279.tif 000040
2018510279.tif 000041
2018510279.tif 000042